(57)【要約】【課題】ベルトの面内剪断剛性及びタイヤ周方向剛性を確保した上で軽量化を図ることができる空気入りタイヤを提供する。【解決手段】空気入りタイヤに、タイヤケース３４のタイヤ径方向外側に配置されたトレッド５０と、第１補強コード４２と、第１補強コード４２のタイヤ径方向内側に配置された第１補強コード４２よりも外径の小さい第２補強コード４４と、これらのコード４２、４４を被覆し、タイヤケース３４及びトレッド５０を構成するゴム材料よりも大きい引張弾性率を有する樹脂４６と、を含んで構成された樹脂被覆コード４８がタイヤケース３４のタイヤ径方向外側でタイヤケース３４の外周面に沿って螺旋状に巻回されると共に巻回された状態で互いに隣接し合う樹脂被覆コード４８のタイヤ幅方向の端部の樹脂４６同士が接合して一体的に形成されている樹脂ベルト４０、を備える。【選択図】図２
2019217870.tif 000002
【特許請求の範囲】
【請求項１】
一方のビード部から他方のビード部に跨るカーカスを含んで構成され、少なくとも前記カーカスのタイヤ幅方向の外側部が第１のゴム材料で被覆されたタイヤケースと、
前記タイヤケースのタイヤ径方向外側に配置され第２のゴム材料により構成されたトレッドと、
第１コードと、前記第１コードのタイヤ径方向内側に配置された前記第１コードよりも外径の小さい第２コードと、前記第１コード及び前記第２コードを被覆し、前記第１のゴム材料及び前記第２のゴム材料よりも大きい引張弾性率を有する樹脂と、を含んで構成された樹脂被覆コードが前記タイヤケースのタイヤ径方向外側かつ前記トレッドのタイヤ径方向内側で前記タイヤケースの外周面に沿って螺旋状に巻回されると共に巻回された状態で隣接する前記樹脂被覆コードのタイヤ幅方向の端部の前記樹脂同士が接合され一体的に形成された樹脂ベルトと、
を備えた空気入りタイヤ。
【請求項２】
前記第１コード及び前記第２コードは、タイヤ幅方向に沿ってそれぞれ複数配置された請求項１に記載の空気入りタイヤ。
【請求項３】
前記第１コードは、スチールコードにより構成され、前記第２コードは、前記第１コードよりも外径の小さいスチールコードにより構成された請求項１または請求項２に記載の空気入りタイヤ。
【請求項４】
前記第１コードは、スチールコードにより構成され、前記第２コードは、有機繊維により構成された請求項１または請求項２に記載の空気入りタイヤ。
【発明の詳細な説明】
【技術分野】
【０００１】
本発明は、タイヤ径方向に複層化されたコードを含んで構成されたベルトを備えた空気入りタイヤに関する。
【背景技術】
【０００２】
自動車に装着する空気入りタイヤとしては、カーカスのタイヤ径方向外側にタイヤ周方向に対して傾斜したコードを含んで構成された２枚以上の傾斜ベルトプライと、傾斜ベルトプライのタイヤ径方向外側に配置された補強層等を備えた複数層からなるベルトを備えた構造が一般的である（例えば、特許文献１、２参照）。
【先行技術文献】
【特許文献】
【０００３】
【特許文献１】特開２０１３−２４４９３０号公報
【特許文献２】特開２０１３−２２０７４１号公報
【発明の概要】
【発明が解決しようとする課題】
【０００４】
しかしながら、特許文献１及び２の空気入りタイヤによれば、２枚以上の傾斜ベルトプライと補強層によりカーカスのクラウン部に必要とされる面内剪断剛性等が確保されるものの、プライ及び補強層の層数が増加するためタイヤの軽量化が困難となる。近年では、空気入りタイヤの軽量化に対するニーズが高まっており、空気入りタイヤに必要とされる強度を確保したうえで軽量化を図ることが必要となる。
【０００５】
本発明は上記事実を考慮し、ベルトの面内剪断剛性及びタイヤ周方向剛性を確保した上で軽量化を図ることができる空気入りタイヤの提供を目的とする。
【課題を解決するための手段】
【０００６】
請求項１に記載の空気入りタイヤは、一方のビード部から他方のビード部に跨るカーカスを含んで構成され、少なくとも前記カーカスのタイヤ幅方向の外側部が第１のゴム材料で被覆されたタイヤケースと、前記タイヤケースのタイヤ径方向外側に配置され第２のゴム材料により構成されたトレッドと、第１コードと、前記第１コードのタイヤ径方向内側に配置された前記第１コードよりも外径の小さい第２コードと、前記第１コード及び前記第２コードを被覆し、前記第１のゴム材料及び前記第２のゴム材料よりも大きい引張弾性率を有する樹脂と、を含んで構成された樹脂被覆コードが前記タイヤケースのタイヤ径方向外側かつ前記トレッドのタイヤ径方向内側で前記タイヤケースの外周面に沿って螺旋状に巻回されると共に巻回された状態で隣接する前記樹脂被覆コードのタイヤ幅方向の端部の前記樹脂同士が接合され一体的に形成された樹脂ベルトと、を備えている。
【０００７】
請求項１に記載の空気入りタイヤによれば、ベルトは、第１コード及び第２コードを備えた樹脂被覆コードがタイヤケースの外周面に螺旋状に巻回されると共に巻回された状態で互いに隣接し合う樹脂被覆コードのタイヤ幅方向の端部の樹脂同士が接合され一体的に構成されている。また、ベルトは、カーカスの外側部を被覆する第１のゴム材料及びトレッドを構成する第２のゴム材料よりも引張弾性率が大きい樹脂により形成されている。これにより、コード間にゴム材料が配置されたベルトと比較して、高い面内剪断剛性を確保することができる。
【０００８】
また、請求項１に記載の空気入りタイヤによれば、ベルトを構成する樹脂被覆コードには、第１コードと第１コードのタイヤ径方向内側に配置された第１コードよりも外径の小さい第２コードとが複層で備えられている。このため、タイヤ周方向に引張荷重が作用するベルトのタイヤ径方向外側を第１コードにより支えることができると共にタイヤ周方向に圧縮荷重が作用するベルトのタイヤ径方向内側を第２コードにより支えることができる。このようにタイヤ径方向に沿って複層にコードが配置されることにより、タイヤ径方向に単層でコードが備えられたベルトと比較して高いタイヤ周方向剛性を確保することができる。
【０００９】
さらに、請求項１に記載の空気入りタイヤによれば、ベルトは樹脂で形成された樹脂被覆コードにより形成されている。これにより、ベルトの面内剪断剛性及びタイヤ周方向剛性を確保した上でタイヤの軽量化を図ることができる。
【００１０】
請求項２に記載の空気入りタイヤは、請求項１に記載の空気入りタイヤにおいて、前記第１コード及び前記第２コードは、タイヤ幅方向に沿ってそれぞれ複数配置されている。
【００１１】
請求項２に記載の空気入りタイヤによれば、第１コード及び第２コードは、タイヤ幅方向に沿って複数本配置されている。これにより、ベルトに作用する引張荷重及び圧縮荷重を複数本のコードにより支えることができる。これにより、高いタイヤ周方向剛性を確保することができる。
【００１２】
請求項３に記載の空気入りタイヤは、請求項１又は請求項２に記載の空気入りタイヤにおいて、前記第１コードは、スチールコードにより構成され、前記第２コードは、前記第１コードよりも外径の小さいスチールコードにより構成されている。
【００１３】
請求項３に記載の空気入りタイヤによれば、第２コードは第１コードよりも外径の小さいスチールコードにより構成されているため、第２コードは、第１コードよりも耐屈曲性に富んでいる。これにより、第２コードを備えたベルトは、圧縮変形に対する耐久性を向上させることができる。
【００１４】
請求項４に記載の空気入りタイヤは、請求項１又は請求項２に記載の空気入りタイヤにおいて、前記第１コードは、スチールコードにより構成され、前記第２コードは、有機繊維により構成されている。
【００１５】
請求項４に記載の空気入りタイヤによれば、第２コードは、第１コードより耐屈曲性に富んだ有機繊維により構成されている。これにより、第２コードを備えたベルトは、圧縮変形に対する耐久性を更に向上させることができる。
【発明の効果】
【００１６】
以上説明したように、請求項１に係る空気入りタイヤは、ベルトの面内剪断剛性及びタイヤ周方向剛性を確保した上でタイヤの軽量化を図ることができるという優れた効果を有する。
【００１７】
請求項２に係る空気入りタイヤは、ベルトに作用するタイヤ周方向の引張荷重及び圧縮荷重を複数本のコードにより支えることができるため、高いタイヤ周方向剛性を確保することができるという優れた効果を有する。
【００１８】
請求項３に係る空気入りタイヤは、それぞれのコードに生じる応力を低減させることに加えて圧縮変形に対する耐久性を向上させることができるという優れた効果を有する。
【００１９】
請求項４に係る空気入りタイヤは、それぞれのコードに生じる応力を低減させることに加えて圧縮変形に対する耐久性を更に向上させることができるという優れた効果を有する。
【図面の簡単な説明】
【００２０】
【図１】本発明の第１の実施形態に係る空気入りタイヤをタイヤ幅方向に沿って切断した断面図である。
【図２】第１の実施形態に係る空気入りタイヤのショルダー付近をタイヤ幅方向に沿って切断した拡大断面図である。
【図３】第１の実施形態の第１変形例に係る空気入りタイヤのショルダー付近をタイヤ幅方向に沿って切断した拡大断面図である。
【図４Ａ】第１の実施形態の第２変形例に係る断面形状が平行四辺形の樹脂被覆コードをタイヤ幅方向に沿って切断した拡大断面図である。
【図４Ｂ】第１の実施形態の第２変形例に係るタイヤ幅方向端部の側面が傾斜した樹脂被覆コードをタイヤ幅方向に沿って切断した拡大断面図である。
【図４Ｃ】第１の実施形態の第２変形例に係るタイヤ幅方向端部の側面が円弧状に形成された樹脂被覆コードをタイヤ幅方向に沿って切断した拡大断面図である。
【図４Ｄ】第１の実施形態の第２変形例に係るタイヤ幅方向端部の側面が逆Ｓ字形状に形成された樹脂被覆コードをタイヤ幅方向に沿って切断した拡大断面図である。
【図４Ｅ】第１の実施形態の第２変形例に係るコードの外周に接合用樹脂層を設けた樹脂被覆コードをタイヤ幅方向に沿って切断した拡大断面図である。
【発明を実施するための形態】
【００２１】
（第１実施形態）
図１及び図２を用いて、本発明の第１実施形態に係る空気入りタイヤ１０について説明する。
【００２２】
（タイヤ骨格部材）
図１には、例えば、乗用車に用いられるラジアルタイヤである空気入りタイヤ１０の空気充填前の自然状態の形状が示されている。空気入りタイヤ１０は、タイヤ幅方向の両端部側に、例えば、ビードワイヤー（図示省略）が何層にも巻回して構成されたビードコア１６が埋設された一対のビード部２０を備える。タイヤ幅方向の片側のビード部２０とタイヤ幅方向の他方側のビード部（図示省略）との間には、１枚のカーカスとしてのカーカスプライ２２がタイヤ幅方向に沿って切断した断面で見た場合にトロイド状に跨っている。
【００２３】
カーカスプライ２２は、空気入りタイヤ１０のラジアル方向に延在された、例えばポリエステル等の有機繊維製の複数本のコード（図示省略）がゴムコーティングされて形成されている。なお、ここでは、カーカスプライ２２のコードの材料は、ポリエステルとして説明したが、これに限らず、従来公知の他の材料が用いられても良い。
【００２４】
カーカスプライ２２のタイヤ幅方向の端部は、ビードコア１６のタイヤ幅方向内側から外側へ折り返されている。カーカスプライ２２は、タイヤ幅方向の片側のビードコア１６のタイヤ幅方向内側からタイヤ幅方向の他方側の図示しないビードコアのタイヤ幅方向内側の間をタイヤ幅方向に沿って切断した断面で見た場合にトロイド状に跨る本体部２２Ａと、ビードコア１６のタイヤ幅方向外側へ折り返された折返し部２２Ｂと、を備えている。
【００２５】
カーカスプライ２２の本体部２２Ａと折返し部２２Ｂとの間には、ビードコア１６の外周面からタイヤ径方向外側に向けて先細り状に延びる硬質のゴムにより構成されたビードフィラー２６が配置されている。空気入りタイヤ１０のビードフィラー２６のタイヤ径方向外側端部２６Ａからビードコア１６を含むタイヤ径方向内側の部分がビード部２０とされている。
【００２６】
カーカスプライ２２のタイヤ幅方向内側にはゴム製のインナーライナー２８が配置されており、カーカスプライ２２のタイヤ幅方向外側には、第１のゴム材料からなるサイドゴム層３０が配置されている。空気入りタイヤ１０の骨格を形成するタイヤ骨格部材としてのタイヤケース３４は、ビードコア１６と、カーカスプライ２２と、ビードフィラー２６と、インナーライナー２８と、サイドゴム層３０と、により構成されている。
【００２７】
（ベルト）
図２に示されるように、カーカスプライ２２のタイヤ径方向外側（クラウン部の外側）には、後述する方法により製造されたベルト４０が配置されている。ベルト４０は、カーカスプライ２２の外周面に密着するように巻回された樹脂被覆コード４８により構成されている。樹脂被覆コード４８は、タイヤ径方向外側に配置された複数本（本実施形態では２本）の第１コードとしての第１補強コード４２とタイヤ径方向内側に配置された複数本（本実施形態では３本）の第２コードとしての第２補強コード４４とが樹脂４６で被覆されることにより形成されている。第１補強コード４２と第２補強コード４４は、タイヤ径方向に沿って複層に配置されている。また、第１補強コード４２と第２補強コード４４は、その中心がタイヤ径方向に重ならないように樹脂被覆コード４８の内部にそれぞれ配置されている。
【００２８】
ベルト４０の第１補強コード４２は、カーカスプライ２２のコードよりも太く、かつ、強力（引張強度）が大きいものを用いることが好ましい。ベルト４０の第１補強コード４２は、金属繊維や有機繊維等のモノフィラメント（単線）又はこれらの繊維を撚ったマルチフィラメント（撚り線）により構成されている。具体的には、例えば、直径が０．２２５ｍｍの“１×５”のスチールコードが用いられる。なお、ここでは第１補強コード４２は、直径が０．２２５ｍｍの“１×５”のスチールコードを用いるとして説明したが、これに限らず、従来公知の他の構造のスチールコードを用いることもできる。
【００２９】
ベルト４０の第２補強コード４４は、金属繊維のモノフィラメント（単線）又は金属繊維を撚ったマルチフィラメント（撚り線）により第１補強コード４２より小さい外径になるように構成されている。
【００３０】
第１補強コード４２及び第２補強コード４４を被覆する樹脂４６には、サイドゴム層３０を構成するゴム及び後述するトレッド５０を構成する第２のゴム材料よりも引張弾性率の高い樹脂材料が用いられている。第１補強コード４２及び第２補強コード４４を被覆する樹脂４６としては、弾性を有する熱可塑性樹脂、熱可塑性エラストマー（ＴＰＥ）及び熱硬化性樹脂等を用いることができる。とりわけ、空気入りタイヤ１０が装着された自動車の走行時の弾性と製造時の成形性を考慮すると、熱可塑性エラストマーを用いることが望ましい。
【００３１】
熱可塑性エラストマーとしては、ポリオレフィン系熱可塑性エラストマー（ＴＰＯ）、ポリスチレン系熱可塑性エラストマー（ＴＰＳ）、ポリアミド系熱可塑性エラストマー（ＴＰＡ）、ポリウレタン系熱可塑性エラストマー（ＴＰＵ）、ポリエステル系熱可塑性エラストマー（ＴＰＣ）、動的架橋型熱可塑性エラストマー（ＴＰＶ）等が挙げられる。
【００３２】
また、熱可塑性樹脂としては、ポリウレタン樹脂、ポリオレフィン樹脂、塩化ビニル樹脂、ポリアミド樹脂等が挙げられる。さらに、熱可塑性樹脂材料としては、例えば、ＩＳＯ７５−２又はＡＳＴＭ  Ｄ６４８に規定されている荷重たわみ温度（０．４５ＭＰａ荷重時）が７８°Ｃ以上、ＪＩＳ  Ｋ７１１３に規定される引張降伏強さが１０ＭＰａ以上、同じくＪＩＳ  Ｋ７１１３に規定される引張破壊伸びが５０％以上、ＪＩＳ  Ｋ７２０６に規定されるビカット軟化温度（Ａ法）が１３０°Ｃ以上であるものを用いることができる。
【００３３】
第１補強コード４２及び第２補強コード４４を被覆する樹脂４６の引張弾性率（ＪＩＳ  Ｋ７１１３：１９９５に規定される）は、５０ＭＰａ以上が好ましい。また、樹脂４６の引張弾性率の上限は、１０００ＭＰａ以下とすることが好ましい。なかでも、樹脂４６の引張弾性率は、２００〜５００ＭＰａの範囲内が特に好ましい。
【００３４】
図１に示されるように、本実施形態のベルト４０の厚さ寸法ｔは、第１補強コード４２の直径寸法よりも大きくすることが好ましい、すなわち、第１補強コード４２が完全に樹脂４６に埋設されていることが好ましい。ベルト４０の厚さ寸法ｔは、空気入りタイヤ１０が乗用車用の場合は、具体的には、０.７０ｍｍ以上とすることが好ましい。
【００３５】
ベルト４０のタイヤ径方向外側には、第２のゴム材料からなるトレッド５０が配置されている。トレッド５０に用いる第２のゴム材料には、従来一般公知のものが用いられている。トレッド５０には、排水用の溝５２が形成されている。また、トレッド５０のパターンも従来一般公知のものが用いられている。また、トレッド５０のタイヤ幅方向外側のタイヤケース３４に連続する部分は、ショルダー５４とされている。
【００３６】
ベルト４０のタイヤ軸方向の長さであるベルト４０の幅ＢＷは、トレッド５０のタイヤ軸方向の長さであるトレッド５０の接地幅ＴＷに対して７５％以上とすることが好ましい。なお、ベルト４０の幅ＢＷの上限は、接地幅ＴＷに対して１１０％とすることが好ましい。また、ベルト４０の面内剪断剛性は、ゴム被覆で形成されたベルト以上であることが好ましい。
【００３７】
ここで、トレッド５０の接地幅ＴＷとは、空気入りタイヤ１０をＪＡＴＭＡ ＹＥＡＲ ＢＯＯＫ（２０１８年度版、日本自動車タイヤ協会規格）に規定されている標準リムに装着し、ＪＡＴＭＡ  ＹＥＡＲ  ＢＯＯＫでの適用サイズ・プライレーティングにおける最大負荷能力（内圧−負荷能力対応表の太字荷重）に対応する空気圧（最大空気圧）の１００％の内圧を充填し、静止した状態で水平な平板に対して回転軸が平行となるように配置し、最大の負荷能力に対応する質量を加えたときのものである。なお、使用地又は製造地において、ＴＲＡ規格、ＥＴＲＴＯ規格が適用される場合は各々の規格に従う。
【００３８】
（空気入りタイヤの製造方法）
本実施形態の空気入りタイヤ１０の製造方法の一例を説明する。はじめに、公知のタイヤ成形ドラム（図示省略）の外周に、インナーライナー２８と、ビードコア１６と、ビードフィラー２６と、カーカスプライ２２と、サイドゴム層３０と、を含んだ未加硫のタイヤケース３４が形成される。ここまでの製造は、公知の方法により製造される。
【００３９】
次に、図２に示されるように、ベルト４０は、第１補強コード４２及び第２補強コード４４が樹脂４６により被覆された樹脂被覆コード４８が螺旋状に巻回されることにより形成される。この樹脂被覆コード４８の断面形状は、タイヤ幅方向に沿って切断した断面図で見た場合、略矩形状（略長方形状）に形成されている。また、樹脂被覆コード４８のタイヤ幅方向の端部（図２において、２点鎖線で図示。）は、隣り合う樹脂被覆コード４８のタイヤ幅方向の端部と当接している。
【００４０】
ベルト４０を形成するために、樹脂被覆コード４８を巻き付けてベルトを成形するためのベルト成形ドラム（図示省略）の近傍に樹脂被覆コード４８を供給するための供給装置（図示省略）と、ベルト成形ドラムに捲きつけられる樹脂被覆コード４８を加熱するための加熱装置（図示省略）と、が配置される。また、ベルト成形ドラムの近傍には、樹脂被覆コード４８をベルト成形ドラムに押し付けるための押付ローラ（図示省略）と、溶着した樹脂被覆コード４８を冷却するための冷却ローラ（図示省略）と、が配置される。
【００４１】
供給装置から送り出された樹脂被覆コード４８は、加熱装置により加熱されることにより樹脂４６の表面が溶融される。樹脂４６の表面が溶融された樹脂被覆コード４８は、ベルト成形ドラムの外周面に押付ローラにより押圧された状態で捲きつけられる。押圧された樹脂被覆コード４８は、側部（タイヤ軸方向の端部）がタイヤ軸方向に膨出するように押し潰される。押し潰された樹脂４６のタイヤ軸方向に隣接する側面同士は、互いに接触することにより溶着される。溶着された樹脂４６は、冷却ローラに接触されることにより固化するため、隣接する樹脂被覆コード４８同士が溶着した状態で固化する。このように、樹脂被覆コード４８がベルト成形ドラムの外周面に螺旋状に巻き付けられると共に当該外周面に押し付けられることにより、ベルト成形ドラムの外周面にベルト４０が形成される。
【００４２】
樹脂４６が固化したベルト４０は、ベルト成形ドラムから取り外され、タイヤ成形ドラムのタイヤケース３４の径方向外側に配置される。ベルト４０が配置された状態でタイヤケース３４が拡張されることにより、タイヤケースの外周面であるカーカスプライ２２の外周面とベルト４０の内周面とが圧着される。タイヤケース３４が圧着されたベルト４０の外周面に、一般の空気入りタイヤと同様に未加硫のトレッド５０が貼り付けられることにより、生タイヤが構成される。
【００４３】
次に、本実施形態の作用並びに効果について説明する。
【００４４】
本実施形態によれば、ベルト４０は、第１補強コード４２及び第２補強コード４４を樹脂４６で被覆した樹脂被覆コード４８が螺旋状に巻回されると共に巻回された状態で互いに隣接し合う樹脂被覆コード４８のタイヤ幅方向の端部の樹脂４６同士が接合され一体的に構成されている。このため、ベルト幅方向に隣り合う樹脂被覆コード４８の接合強度を高めることができる。また、ベルト４０は、カーカスプライ２２の外側部を被覆する第１のゴム材料及びトレッド５０を構成する第２のゴム材料よりも引張弾性率が大きい樹脂４６により形成されている。これらのことから、樹脂４６ではなくゴム材料が配置されたベルトと比較して、高い面内剪断剛性を確保することができる。
【００４５】
具体的には、本実施形態のベルト４０は、引張弾性率が５０ＭＰａ以上とされ、厚みを０．７ｍｍ以上確保することにより、ベルト４０のタイヤ幅方向の面内剪断剛性を十分に確保することができる。
【００４６】
また、本実施形態によれば、ベルト４０を構成する樹脂被覆コード４８には、タイヤ径方向外側（トレッド側）に第１補強コード４２とタイヤ径方向内側（タイヤケース側）に第１補強コード４２よりも外径の小さい第２補強コード４４が複層で備えられている。このため、タイヤ周方向に引張荷重が作用するベルトのタイヤ径方向外側を第１補強コード４２により支えることができると共にタイヤ周方向に圧縮荷重が作用するベルトのタイヤ径方向内側を第２補強コード４４により支えることができる。また、第１補強コード４２と第２補強コード４４は、その中心がタイヤ径方向に重ならないように樹脂被覆コード４８の内部にそれぞれ配置されているため、第１補強コード４２と第２補強コード４４に生じる応力をタイヤ幅方向に分散させることができる。これらにより、タイヤ径方向に単層でコードが備えられたベルトと比較して高いタイヤ周方向剛性を確保することができる。
【００４７】
ここで、第２補強コード４４は、第１補強コード４２よりも外径の小さいスチールコードにより構成されているため、第１補強コード４２よりも耐屈曲性に富んでいる。これにより、第２補強コード４４が備えられたベルト４０は、圧縮変形に対する耐久性を向上させることができる。
【００４８】
さらに、本実施形態の空気入りタイヤ１０によれば、ベルト４０は樹脂被覆コード４８によりタイヤ径方向に対して単層に形成されている。また、樹脂被覆コード４８が螺旋状に巻回されてタイヤ径方向に重なる部分が無いため、ベルト４０は、タイヤ周方向に厚さが均一に形成されている。このため、従来のタイヤのように２枚以上のベルトプライにより複数層に形成されたベルトと比較して軽量となり、ユニフォミティーに優れたものを簡単に製造することができる。また、ベルト４０をタイヤ径方向に対して単層に形成することによりトレッド５０の厚みを厚くすることができると共に溝５２の深さを深くすることができるため、空気入りタイヤ１０の寿命を延ばすことが可能となる。
【００４９】
以上説明したように、本実施形態に係る空気入りタイヤ１０は、ベルト４０の面内剪断剛性及びタイヤ周方向剛性を確保した上で軽量化を図ることができる。
【００５０】
上記に加えて、ベルト４０の面内剪断剛性が確保されることで、空気入りタイヤ１０にスリップ角を付与した場合の横力を十分に発生させることができるため、操縦安定性を確保することができると共に応答性も向上させることができる。
【００５１】
さらに、本実施形態に係る空気入りタイヤ１０では、面内剪断剛性が高いベルト４０が用いられているため、カーカスプライ２２を保護するショルダー５４付近の剛性を高めることができる。
【００５２】
また、ベルト４０の面内剪断剛性を向上させることに伴いベルト４０の面外曲げ剛性も向上される。このため、空気入りタイヤ１０に大きな横力が入力した際、トレッド５０のバックリング（トレッド５０の表面が波打って、一部が路面から離間する現象）を抑制することができる。
【００５３】
（第１変形例）
次に、図３を用いて、本実施形態の第１変形例に係る空気入りタイヤ６０について説明する。なお、前述した本実施形態と同一構成部分については、同一番号を付してその説明を省略する。
【００５４】
本変形例によれば、樹脂被覆コード６８に備えられた第２補強コード６４は、有機繊維のモノフィラメント（単線）又は有機繊維を撚ったマルチフィラメント（撚り線）により、例えば、第１補強コード４２より小さい外径になるように構成されている。
【００５５】
本変形例によれば、第２補強コード６４は、有機繊維により構成されているため、第１補強コード４２よりも耐屈曲性に富んでいると共にスチールコードに比べて耐久性に富んでいる。このため、第２補強コード６４が備えられたベルト４０は、圧縮変形に対する耐久性を更に向上させることができる。これにより、空気入りタイヤ６０は、高いタイヤ周方向剛性を確保することができる。
【００５６】
以上説明したように、本変形例に係る空気入りタイヤ６０は、ベルト６２の面内剪断剛性及びタイヤ周方向剛性の確保と軽量化の両立を図ることができる。
【００５７】
（第２変形例）
次に、図４Ａから図４Ｅを用いて、第２変形例に係る空気入りタイヤ７０について説明する。なお、前述した第１実施形態と同一構成部分については、同一番号を付してその説明を省略する。
【００５８】
本変形例によれば、樹脂被覆コード７２のタイヤ幅方向に沿って切断された断面形状は、略長方形以外の形状に形成されている。具体的には、図４Ａ及び図４Ｅに示す樹脂被覆コード７２は、断面形状が平行四辺形とされ、タイヤ幅方向の端部が一定角度で傾斜されている。また、図４Ｂに示す樹脂被覆コード７２は、タイヤ幅方向の端部が傾斜されると共に当該端部のタイヤ径方向の略中間部には段部が形成されている。さらに、図４Ｃ及び図４Ｄに示す樹脂被覆コード７２は、タイヤ幅方向の端部が円弧形状及び逆Ｓ字形状に形成されている。
【００５９】
図４Ａから図４Ｅに示される樹脂被覆コード７２は、いずれも図２に示される略長方形断面の樹脂被覆コード４８に比べて、タイヤ幅方向の端部の長さが長くなるように形成されている。このため、ベルト幅方向に隣接する樹脂被覆コード７２同士の接合面積（溶着面積）を、図２に示される略長方形断面の樹脂被覆コード４８に比べて増加させることができる。これにより、樹脂被覆コード７２の接合強度を高めることができるため、空気入りタイヤ７０は、高い面内剪断剛性を確保することができる。
【００６０】
また、図４Ｅに示される樹脂被覆コード７２には、第１補強コード４２及び第２補強コード４４の外周に配置され、第１補強コード４２及び第２補強コード４４と樹脂４６とを接合（接着）する接合用樹脂層９０が設けられている。
【００６１】
接合用樹脂層９０は、第１補強コード４２及び第２補強コード４４との接着性に優れる接合用樹脂材料で形成されている。接合用樹脂材料としては、例えば、変性オレフィン系樹脂（変性ポリエチレン系樹脂、変性ポリプロピレン系樹脂等）、ポリアミド系樹脂、ポリウレタン系樹脂、ポリエステル系樹脂、エチレン−アクリル酸エチル共重合体、エチレン−酢酸ビニル共重合体等の１種又は２種以上の熱可塑性樹脂を主成分（主剤）として含むものが挙げられる。これらの中でも、第１補強コード４２及び第２補強コード４４との接着性の観点から、変性オレフィン系樹脂、ポリエステル系樹脂、エチレン−アクリル酸エチル共重合体、及びエチレン−酢酸ビニル共重合体から選ばれる少なくとも１種を含むホットメルト接着剤が好ましく、不飽和カルボン酸で酸変性された変性オレフィン系樹脂（酸変性オレフィン系樹脂）が更に好ましい。ここで、「不飽和カルボン酸で酸変性された変性オレフィン系樹脂」とは、ポリオレフィンに、不飽和カルボン酸をグラフト共重合させた変性オレフィン系樹脂を意味する。また、これらのオレフィン系熱可塑性エラストマーとしては、弾性率が１４０ＭＰａ〜９５０ＭＰａのものを用いることが好ましい。
【００６２】
（その他の実施形態）
以上、本発明の第１実施形態及びその変形例について説明したが、本発明は、上記に限定されるものでなく、上記以外にも、その主旨を逸脱しない範囲内において種々変形して実施可能であることは勿論である。
【００６３】
なお、ここでは、ベルト４０、６２は、タイヤ軸方向に一定径、一定厚さで形成されている、すなわち、タイヤ軸線に沿った断面で見たときに一直線状に形成されていると説明したが、これに限らず、ベルトは、タイヤ幅方向中央部の外径をタイヤ幅方向両端部の外径よりも大径に形成され、ベルトをタイヤ幅方向に沿った切断した断面で見た場合に、タイヤ幅方向中央部がタイヤ径方向外側へ凸となる略円弧状とされてもよい。
【００６４】
さらに、ここでは、ベルト４０、６２を製造する際に用いた樹脂被覆コード４８、６８、７２は、複数本の第１補強コード４２及び第２補強コード４４、６４が樹脂４６で被覆されたものとして説明したが、これに限らず、樹脂被覆コードは１本の第１補強コード及び１本の第２補強コードが樹脂で被覆されたものでもよい。また、３本以上の第１補強コード及び４本以上の第２補強コードが樹脂で被覆されたものであってもよい。
【００６５】
また、本実施形態に係る空気入りタイヤ１０、６０、７０は、一般的なラジアルタイヤであるとして説明したが、これに限らず、サイド部が補強ゴムで補強されたランフラットタイヤに用いられてもよい。
【００６６】
また、本実施形態のベルト４０、６２は、ベルト幅方向に隣接する樹脂被覆コード４８、６８、７２のタイヤ幅方向の側面同士が溶着により接合されているとして説明したが、これに限らず、接着剤を用いて接合されていてもよい。
【符号の説明】
【００６７】
１０、６０、７０…空気入りタイヤ、２０…ビード部、２２…カーカスプライ（カーカス）、３０…サイドゴム層（第１のゴム材料）、３４…タイヤケース、４０、６２…ベルト、４２…第１補強コード（第１コード）、４４、６４…第２補強コード（第２コード）、４６…樹脂、４８、６８、７２…樹脂被覆コード、５０…トレッド（第２のゴム材料）、ＢＷ…ベルトの幅、ＴＷ…接地幅
【図１】
2019217870.tif 000003
【図２】
2019217870.tif 000004
【図３】
2019217870.tif 000005
【図４Ａ】
2019217870.tif 000006
【図４Ｂ】
2019217870.tif 000007
【図４Ｃ】
2019217870.tif 000008
【図４Ｄ】
2019217870.tif 000009
【図４Ｅ】
2019217870.tif 000010